(57)【要約】  【課題】  加湿器に異常が生じた際にも応急的な加湿運転を可能としつつ、安全性に優れ、かつ、使い勝手の良好な加湿器を提供する。  【解決手段】  水供給手段と、この水供給手段から水が供給されて室内空気を加湿する加湿手段と、室内空気を循環させて加湿手段で生じた加湿空気を室内へ供給する送風手段１４Ｂと、この送風手段を含む加湿器の運転を制御する制御装置Ｓとを備えている。そして、制御装置Ｓは、加湿器の異常を判別すると共に、異常状態発生時には加湿器の運転を停止し、かつ、この異常状態発生時において、加湿器の電源をリセットとした後には、予め定められた所定時間の時限を設けて送風手段１４Ｂを駆動し、応急加湿運転を実行する応急加湿運転実行部５６を備えた構成とすることにより、加湿器に異常が生じた際にも応急的な加湿運転を可能とする。【選択図】      図６
2008057847.tif 000002
【特許請求の範囲】
【請求項１】
水供給手段と、この水供給手段から水が供給されて室内空気を加湿する加湿手段と、室内空気を循環させて加湿手段で生じた加湿空気を室内へ供給する送風手段と、この送風手段を含む加湿器の運転を制御する制御装置とを備え、
前記制御装置は、加湿器の異常を判別すると共に、異常状態発生時には加湿器の運転を停止し、かつ、この異常状態発生時において、加湿器の電源をリセットとした後には、予め定められた所定時間の時限を設けて前記送風手段を駆動し、応急加湿運転を実行する応急加湿運転実行部を備えたことを特徴とする加湿器。
【請求項２】
水供給手段と、この水供給手段から水が供給されて室内空気を加湿する加湿手段と、室内空気を循環させて加湿手段で生じた加湿空気を室内へ供給する送風手段と、室内空気の湿度を検出する湿度検出手段と、加湿器の運転を入り切りする運転入り切り手段と、加湿器の運転モードを自動加湿運転モードと連続加湿運転モードとに切換える運転切換手段と、現在湿度の表示を含む表示を行う表示手段と、前記送風手段を含む加湿器の運転を制御する制御装置とを備え、
前記制御装置は、湿度検出手段の短絡を含む加湿器の異常を判別すると共に、異常状態発生時にはその異常内容を前記表示手段で表示して加湿器の運転を停止し、かつ、この異常状態発生時において、加湿器の電源をリセットとした後に前記運転入り切り手段からの入り信号が入力されると、運転モードを連続加湿運転モードのみに固定すると共に所定時間の時限を設けて前記送風手段を駆動し、応急加湿運転を実行する応急加湿運転実行部を備えたことを特徴とする加湿器。
【請求項３】
前記電源のリセットは、電源プラグを電源コンセントに抜き差することで行われることを特徴とする請求項１又は２に記載の加湿器。
【請求項４】
前記応急加湿運転実行部による応急加湿運転中は、前記表示手段による異常内容の表示を継続して行うことを特徴とする請求項１又は２に記載の加湿器。
【発明の詳細な説明】
【技術分野】
【０００１】
本発明は、室内に設置されて室内空気を加湿する加湿器に関するものである。
【背景技術】
【０００２】
近年、居住空間の密閉度が高く、例えば、冬季において暖房を行う際には、室内空気が乾燥するため、この乾燥を防止する目的として加湿器が使用されることが多い。
【０００３】
ところで、この種の加湿器おいて、室内空気の湿度を検出する湿度検出器（例えば、湿度センサー）を設け、室内が所望の湿度になるように自動加湿運転を行うことができるものが主流になっている。
【０００４】
また、特許文献１に記載されているように、水供給手段（例えば、加湿水槽）の水中に下部が浸漬されて吸水した加湿手段（例えば、気化フィルタ）に、室内空気を循環させる送風手段（例えば、送風機）からの風を通過させて室内を加湿するものが知られている。
【０００５】
上記特許文献１に記載された加湿器は、ヒータを使用していないヒータレス気化式であり、それの吹き出し口から吹き出す加湿空気がヒータ式のように高温とならず、吹き出し口からの加湿空気に触れての火傷の心配や、加湿器の転倒によってヒータで加熱された高温水が外部へ流出することによる火傷の心配が無く、安全性に優れており、かつ、加湿のためにヒータを使用しないことから消費電力も少なく済み、経済的な加湿が行えるものであった。
【特許文献１】特開２００３−２６２３６７号公報
【発明の開示】
【発明が解決しようとする課題】
【０００６】
しかしながら、自動加湿運転が行える加湿器では、湿度検出器を設けたり、この湿度検出器で検出した検出湿度の値を温度補正するための温度検出器（例えば、温度センサー）を設けたりしているため、これらセンサー類の短絡・断線などの故障により加湿器に異常が発生すると、これらセンサー類を正常なものに部品交換しなければ加湿を行うことができないものであり、そのため、室内空気の異常な乾燥状態を懸念して、暖房も停止させなければならない事態を招く場合があった。
【０００７】
本発明は上述の実情に鑑みてなされたものであり、加湿器に異常が生じた際にも応急的な加湿運転を可能としつつ、安全性に優れ、かつ、使い勝手の良好な加湿器の提供を目的としている。
【課題を解決するための手段】
【０００８】
請求項１に記載の本発明では、水供給手段と、この水供給手段から水が供給されて室内空気を加湿する加湿手段と、室内空気を循環させて加湿手段で生じた加湿空気を室内へ供給する送風手段と、この送風手段を含む加湿器の運転を制御する制御装置とを備え、前記制御装置は、加湿器の異常を判別すると共に、異常状態発生時には加湿器の運転を停止し、かつ、この異常状態発生時において、加湿器の電源をリセットとした後には、予め定められた所定時間の時限を設けて前記送風手段を駆動し、応急加湿運転を実行する応急加湿運転実行部を備えたことを特徴とする。
【０００９】
請求項２に記載の本発明では、水供給手段と、この水供給手段から水が供給されて室内空気を加湿する加湿手段と、室内空気を循環させて加湿手段で生じた加湿空気を室内へ供給する送風手段と、室内空気の湿度を検出する湿度検出手段と、加湿器の運転を入り切りする運転入り切り手段と、加湿器の運転モードを自動加湿運転モードと連続加湿運転モードとに切換える運転切換手段と、現在湿度の表示を含む表示を行う表示手段と、前記送風手段を含む加湿器の運転を制御する制御装置とを備え、前記制御装置は、湿度検出手段の短絡を含む加湿器の異常を判別すると共に、異常状態発生時にはその異常内容を前記表示手段で表示して加湿器の運転を停止し、かつ、この異常状態発生時において、加湿器の電源をリセットとした後に前記運転入り切り手段からの入り信号が入力されると、運転モードを連続加湿運転モードのみに固定すると共に所定時間の時限を設けて前記送風手段を駆動し、応急加湿運転を実行する応急加湿運転実行部を備えたことを特徴とする。
【００１０】
請求項３に記載の本発明は、請求項１又は２に記載の加湿器において、前記電源のリセットは、電源プラグを電源コンセントに抜き差することで行われることを特徴とする。
【００１１】
請求項４に記載の本発明は、請求項１又は２に記載の加湿器において、前記応急加湿運転実行部による応急加湿運転中は、前記表示手段による異常内容の表示を継続して行うことを特徴とする。
【発明の効果】
【００１２】
請求項1又は２に記載の本発明によれば、加湿器に異常が発生して運転が停止しても、予め定められた所定時間に限って応急加湿運転が可能であるから、加湿運転が全く行えないという事態が避けられ、安全で、かつ、使い勝手に優れている。
【００１３】
請求項３に記載の本発明によれば、電源のリセットは、電源プラグを電源コンセントに抜き差することで行われるようにしても良く、運転入り切り手段の他に、別途、電源スイッチを備える必要が無い。
【００１４】
請求項４に記載の本発明によれば、応急加湿運転実行部による応急加湿運転中は、表示手段による異常内容の表示を継続して行うので、正常では無く、応急加湿運転中である旨を、顧客に意識させることができる。
【発明を実施するための最良の形態】
【００１５】
加湿器に異常が生じた際にも応急的な加湿運転を可能としつつ、安全性に優れ、かつ、使い勝手の良好な加湿器の提供を目的として、水供給手段と、この水供給手段から水が供給されて室内空気を加湿する加湿手段と、室内空気を循環させて加湿手段で生じた加湿空気を室内へ供給する送風手段と、この送風手段を含む加湿器の運転を制御する制御装置とを備え、前記制御装置は、加湿器の異常を判別すると共に、異常状態発生時には加湿器の運転を停止し、かつ、この異常状態発生時において、加湿器の電源をリセットとした後には、予め定められた所定時間の時限を設けて前記送風手段を駆動し、応急加湿運転を実行する応急加湿運転実行部を備えた構成としたものであり、以下に本発明の実施例を説明する。
【実施例１】
【００１６】
以下、本発明にかかる加湿器の一実施例について、図面に基づき説明する。図１において、１は加湿器本体で、この加湿器本体１は、底板２、平面視略コ字型の周側板３及び天板４を備えて構成された本体フレーム１Ａと、この本体フレーム１Ａの前面に形成された前面開口部１Ｂを開閉自在と成すように本体フレーム１Ａの前面部に着脱可能に設けられ前パネル５とで構成され、これら各部材は何れも合成樹脂で成形されている。
【００１７】
前記加湿器本体１は、背面側及び左側面側に連なる周側板３の上部に、室内空気を吸込むための多数の小孔を有する空気吸い込み口６が形成され、前記天板４の前端部と前パネル５の上端部との間には、加湿用の気化フィルタ（加湿手段）７で加湿された加湿空気を室内へ吹き出すための空気吹き出し口８が形成されている。
【００１８】
前記天板４には、図３に示すように、カートリッジ式の給水タンク９を加湿器本体１内に出し入れするためのタンク出し入れ用開口部１０と、この開口部１０を開閉する開閉蓋１１と、前記空気吹き出し口８に沿うように配置された表示部兼用操作部１２と、持ち運び用のハンドル１３とが設けられている。
【００１９】
前記加湿器本体１内の上部には、図２に示すように、シロッコ型の送風ファン１４Ａ、この送風ファン１４Ａを駆動するファンモータ１４Ｂ及び送風ファン１４Ａを収容した下向きの送風口１５を有するファンケーシング１４Ｃを備えて構成した送風機（送風手段）１４が配置されている。
【００２０】
そして、前記送風機１４は、前記空気吸い込み口６からファンケーシング１４Ｃ、気化フィルタ７、空気吹き出し口８に至る送風経路Ｋの途中に設けられ、室内空気を循環させるものである。
【００２１】
前記加湿器本体１内には、図２及び図３に示すように、前記ファンケーシング１４Ｃの送風口１５を臨ませた水平仕切り板１６と、この水平仕切り板１６の前縁部から前記空気吹き出し口８にまで至るように設けられた前面仕切り板１７と、前記送風機１４のファンモータ１４Ｂの側方を覆う垂直仕切り板１８とが設けられている。
【００２２】
そして、前記ファンケーシング１４Ｃ、水平仕切り板１６及び前面仕切り板１７は、図示しないが、前面仕切り板１７の左右方向の中央部で左右に２分割して、合成樹脂により一体成型した２部品で構成し、それら２部品を結合して組み立てることができる。
【００２３】
前記ファンケーシング１４Ｃの前記送風口１５には、送風口１５を介して人の手指が送風ファン１４Ａに接触するのを防ぐための合成樹脂製の格子状保護部材１９が設けられている。
【００２４】
２０は本体フレーム１Ａにおける前記水平仕切り板１６と底板２との間に形成した前面開放の水槽収容部であり、この水槽収容部２０には、前記気化フィルタ（加湿手段）７が装備された状態の合成樹脂製の加湿水槽（水供給手段）２１を、前記本体フレーム１Ａに対して出し入れ自在に収容している。
【００２５】
そして、前記加湿水槽２１は、前記本体フレーム１Ａに対して前後方向へスライド自在と成され、かつ、水槽収容部２０への出し入れは、前記本体フレーム１Ａから前パネル５を取り外した状態で行うものである。
【００２６】
前記加湿水槽２１は、図３及び図４に示すように、それの右端一側部に前記給水タンク９からの水を受ける水受け部２２が形成され、この水受け部２２と前記気化フィルタ７が設置される水槽部２３とは、中間仕切り壁２４で互いに仕切られる共に、その中間仕切り壁２４の下部の水面下に設けられた連通部（図示せず）によって互いに連通している。
【００２７】
また、前記水受け部２２には水位を検出するフロート式の水位検出器２５が設けられ、この水位検出器２５が、定常水面より水位が低下したことを検出した際には、リードスイッチなどの水位検出スイッチ２５Ａが開成され、加湿器の運転が強制的に停止させる。
【００２８】
前記水槽部２３は、それの底壁から立ち上げられた横長状起立壁２６によって前方貯水部２３Ａと後方貯水部２３Ｂとに前後２分割され、その前方貯水部２３Ａと後方貯水部２３Ｂとは、前記横長状起立壁２６の左端開放部分２３Ｃにより互いに連通されている。
【００２９】
即ち、前記中間仕切り壁２４の連通部（図示せず）を通って水槽部２３に供給された水は、最初に後方貯水部２３Ｂの右端部分へ導かれ、その後、横長状起立壁２６の左端開放部分２３Ｃを通ってＵターンし、前方貯水部２３Ａ側へと導かれる。
【００３０】
ここで、前記水槽収容部２０内の奥部には、図２中の仮想線で示すように、前記加湿水槽２１の水槽収容部２０内への出し入れに連動して回動する回動自在な連動部材２７が設けられ、この連動部材２７の先端部には、通電により水道水を利用して次亜塩素酸を発生させる除菌用の電極２８が設けられている。
【００３１】
そして、その除菌用の電極２８は、前記加湿水槽２１が水槽収容部２０内の定位置に収容されると、連動部材２７が回動して後方貯水部２４Ｂの右端上流部分の水面下に水没される。また、前記除菌用の電極２８は、加湿水槽２１を水槽収容部２０から引き出すと、連動部材２７がバネ力によって逆方向へ回動し、水面から離れて上方へ移動する。
【００３２】
前記水槽部２３における前方貯水部２３Ａには、水槽部２３の水が供給されるハニカム状の気化フィルタ７が、その下部を水に浸すように配置されている。そして、この気化フィルタ７は、前方貯水部２３Ａ内の水を毛細管現象により吸い上げる。
【００３３】
前記気化フィルタ７は、例えば、アクリル繊維、ポリエステル繊維等で作られた不織布で構成されており、前記送風機１４からの風を通して吸水した水を気化し、その気化によって生じた加湿空気が、空気吹き出し口８を通して室内へ供給され、室内を加湿する。
【００３４】
前記電極２８は、例えばベースがＴｉ（チタン）で皮膜層がＩｒ（イリジウム）、Ｔａ（タンタル）、Ｐｔ（白金）から構成された２枚の電極板を有し、通電電流を、例えば４０ミリアンペアとして、加湿用の水（水道水）に所定濃度の次亜塩素酸を発生させて、除菌作用を得るものである。
【００３５】
図２中の３０は、前記空気吸い込み口６の近くの本体フレーム１Ａ内に設置されて室内空気の湿度を検出する湿度センサー（湿度検出手段）であり、この湿度センサー３０の近くには、前記湿度センサー３０の検出値を温度補正するために室内空気の温度を検出する温度センサー３１が設置されている。
【００３６】
３２は本体フレーム１Ａ内の下部に設置された電装箱であり、この電装箱３２内には前記送風機１４を含む加湿器全体を制御する制御装置Ｓを構成するための制御部品を搭載した制御基板（図示せず）が収容されている。３３は電源コード、３４は室内の電源コンセント（図示せず）に抜き差する電源プラグである。
【００３７】
次に、図５に基づき、前記表示部兼用操作部１２について説明する。
【００３８】
３６は加湿器の運転を入り切りする運転入り切りスイッチ（運転入り切り手段）、３７は運転切換スイッチ（運転切換手段）であり、この運転切換スイッチ３７は、加湿器の運転を「標準」（例えば、設定湿度５５％）又は「高め」（例えば、設定湿度６５％）に設定して自動運転させる２モードの自動加湿運転モードと、加湿器の運転を「強」、「中」、「静音（例えば、弱）」に固定して連続運転させる３モードの連続加湿運転モードとに順次切換える運転切換スイッチ（運転切換手段）である。
【００３９】
前記２モードの自動加湿運転モードでは、温度補正された湿度センサー３０の検出値（現在湿度）を設定湿度（標準５５％、高め６５％）に近づけるようにファンモータ１４Ｂの回転を変化させて加湿を行う。
【００４０】
３８は通常時において現在湿度を数字で表示する２桁のデジタル表示器（表示手段）、３９は運転モード表示部であり、この運転モード表示部３９は、前記した２モードの自動加湿運転モードと３モードの連続加湿運転モードのうち、選択された運転モードに対応して点灯或いは点滅する５つの運転モード表示ランプ３９Ａ〜３９Ｅを有している。
【００４１】
４０はお手入れモードになった場合（例えば、通電時間が約３２０時間を超えた場合）に点灯するお手入れランプ、４１はそのお手入れランプ４０を消灯させるためのリセットを行うお手入れスイッチである。
【００４２】
４２はチャイルドロックの入り切りを行うチャイルドロックスイッチ、４３はチャイルドロック時に点灯するチャイルドロック表示ランプ、４４はおやすみ運転（例えば、設定湿度５５％に現在湿度を近づけると共に送風機の強運転を禁止し、ランプ及びデジタル表示器の減光などのおやすみ時を考慮した運転）を入り切りするためのおやすみスイッチ、４５はおやすみ運転時に点灯するおやすみランプである。
【００４３】
４６は切りタイマー運転の設定及び解除とその設定時間（例えば、２時間と４時間）を行う切りタイマースイッチ、４７及び４８は切りタイマースイッチ４６による設定時間に応じて点灯する２時間用及び４時間用の設定時間表示ランプである。
【００４４】
前記２桁のデジタル表示器（表示手段）３８は、加湿器のエラー時（異常状態発生時）に、図７に示すように、「Ｅ１」、「Ｅ２」、「Ｅ３」、・・・などの文字と数字、或いは文字と文字を用いた異常内容の表示（エラー表示ともいう。）を行う。尚、この異常内容を表示する文字と数字、或いは文字と文字の組み合わせは、図６に示したものに限らず、例えば、「ＨＡ」、「ＨＣ」、「Ｈｄ」、「ＨＥ」、・・・などの表示であっても良い。
【００４５】
次に、図６の制御ブロック図について説明する。
【００４６】
５０は加湿器全体を統括的に制御する制御装置Ｓとしてのマイクロコンピュータ（以下、「マイコン」という）であり、その内部にはＣＰＵ５１、各種データを記憶するＲＡＭ（ランダム・アクセス・メモリ）５２、プログラムを格納するＲＯＭ（リード・オンリー・メモリ）５３及びタイマー５４などを有している。
【００４７】
そして、前記マイコン５０の入力側には、運転入り切りスイッチ３６、運転切換スイッチ３７、お手入れスイッチ４１、チャイルドロックスイッチ４２、おやすみスイッチ４４、切りタイマースイッチ４６、水位検出スイッチ２５Ａ、湿度センサー３０及び温度センサー３１などが接続されている。
【００４８】
一方、前記マイコン５０の出力側には、送風機１４のファンモータ１４Ｂ、運転モード表示ランプ３９Ａ〜３９Ｅ、デジタル表示器３８、前記電極２８の通電制御を行う電極通電制御部５５及びお手入れランプ４０、チャイルドロックランプ４３、おやすみランプ４５、設定時間表示ランプ４７、４８など接続されている。
【００４９】
ここで、前記マイコン５０は、例えば、湿度センサー３０の短絡、温度センサー３１の短絡、温度センサー３１の断線、温度センサー３１による検出温度が約８０℃以上の高温、除菌用の電極２８の電流値が一定値以下など、加湿器の異常を判別して、異常状態発生時には、図７に示すように、その異常内容に応じたエラー表示を前記デジタル表示器３８に表示させると共に、加湿器の運転を強制的に停止させる。
【００５０】
また、前記マイコン５０は、上述の異常状態発生時に、予め定めた所定時間（例えば、約６時間）の時限を設けて、加湿器を応急的に運転可能とする応急加湿運転実行部５６を備えている。
【００５１】
この応急加湿運転実行部５６は、前記電源プラグ３４を電源コンセント（図示せず）から一度抜き、その抜いた電源プラグ３４を再び電源コンセントに差し込むことで加湿器の電源をリセットした後、運転入り切りスイッチ３６を入りにして、運転入り切りスイッチ３６からの入り信号がマイコン５０に入力されると、応急加湿運転モードによる加湿器の加湿運転を実行する。このような電源のリセットは、運転入り切りスイッチ３６とは別に、電源スイッチを備える必要が無い。
【００５２】
前記応急加湿運転モードによる加湿器の運転中、即ち、応急加湿運転中は、マイコン５０が前記デジタル表示器３８による「Ｅ１」、「Ｅ２」、・・・などの異常内容の表示を継続して行う。このようにすると、正常の運転では無く、異常状態発生時の応急的な加湿運転である旨を顧客に容易に意識付けすることができる。
【００５３】
そして、応急加湿運転実行部５６による応急加湿運転は、運転モードが湿度センサー３０による検出信号のマイコン５０への入力を必要としない連続加湿運転モードのみに固定された加湿運転を行う。即ち、応急加湿運転中は、運転切換スイッチ３７を押すことにより、加湿器の運転を「強」、「中」、「静音（例えば、弱）」に固定して連続運転させる３モードの連続加湿運転モードのうち、何れかの連続加湿運転モードを選択して運転可能である。
【００５４】
この応急加湿運転では、例えば、連続加湿運転モードを「強」に設定すると、送風機１４のファンモータ１４Ｂを「強」の高回転数（例えば、約１，６００〜１，８００ｒｐｍ）で駆動し、連続加湿運転モードを「中」に設定すると、ファンモータ１４Ｂを「中」の中回転数（例えば、約１，０００〜１，２００ｒｐｍ）で駆動し、連続加湿運転モードを「静音」に設定すると、ファンモータ１４Ｂを「低」の低回転数（例えば、約５００〜７００ｒｐｍ）で駆動する。
【００５５】
この連続加湿運転モードによる加湿運転では、ファンモータ１４Ｂの回転数の設定が３段階であるので、加湿量を３段階の何れかに選択設定することができる。
【００５６】
前記送風機１４の運転開始により、室内空気が吸い込み口６から加湿器本体1内に吸込まれ、この加湿器本体1内に流入した空気は、送風機１４で加速されて、送風口１５から加湿水槽２１に流れ、ここで気化フィルタ７を通過する際にその気化フィルタ７に吸い上げられた水を気化させる。そして、この水の気化によって生じた加湿空気は、前パネル５と前面仕切り板１７との間の送風経路Ｋを上昇して空気吹き出し口８から室内へ放出され、室内を加湿する。
【００５７】
この応急加湿運転は、電源リセット後の運転入り切りスイッチ３６の入り操作時から約６時間経過した時点で、マイコン５０のタイマー５４がタイムアップし、運転を停止させる。ここで、再度、応急加湿運転を行うには、上述した応急加湿運転モードによる加湿器の加湿運転を実行させる操作を行えば良い。
【００５８】
従って、本発明によれば、湿度センサー３０の短絡、温度センサー３１の短絡や断線などの故障により加湿器に異常状態が生じて運転停止した場合、室内空気の異常な乾燥状態を懸念して、暖房も停止させなければならない事態を招くことを回避でき、予め定められた所定時間（例えば、約６時間）に限って応急加湿運転が可能であるから、加湿運転が全く行えないという事態が避けられ、安全で、かつ、使い勝手に優れた加湿器を提供できる。
【００５９】
以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【図面の簡単な説明】
【００６０】
【図１】本発明の一実施例を示す加湿器の外観斜視図である。
【図２】同じく縦断側面図である。
【図３】同じく分解状態の斜視図である。
【図４】同じく加湿水槽単体の斜視図
【図５】同じく表示部兼用操作部の平面図である。
【図６】同じく制御ブロック図である。
【図７】同じく各種エラー表示とそのエラー内容を示す図である。
【符号の説明】
【００６１】
１      加湿器
７      気化フィルタ（加湿手段）
１４      送風機（送風手段）
２１      加湿水槽（水供給手段）
３０      湿度センサー（湿度検出手段）
３４      電源プラグ
３６      運転入り切りスイッチ（運転入り切り手段）
３７      運転切換スイッチ（運転切換手段）
３８      デジタル表示器（表示手段）
５０      マイクロコンピュータ
５６      応急加湿運転実行部
【図１】
2008057847.tif 000003
【図２】
2008057847.tif 000004
【図３】
2008057847.tif 000005
【図４】
2008057847.tif 000006
【図５】
2008057847.tif 000007
【図６】
2008057847.tif 000008
【図７】
2008057847.tif 000009